(57)【要約】【課題】  ケース板の上下縁部を弾発状に係止して取り付けるようにしたシャツターケースにおいて、ケース板の弾性復帰に伴う急激な反発力により取外し作業上危険が生じたり、反動でケース板が落下してしまう危険性を回避する。【解決手段】ケース板を、断面略円弧状に弾性変形せしめると共に、その上下縁部を前記ブラケット間に横設した上下係止部材にそれぞれ弾発状に係止してシャツターカーテン収納空間を形成するようにしたシャツターケースにおいて、前記上下係止部材のうちいずれか一方の係止部材を前後方向移動可能に構成した。【選択図】図２
2008297814.tif 000002
【特許請求の範囲】
【請求項１】
左右ブラケット間に設けられるケース板を、中央部が左右方向に亘って前方に膨出するよう断面略円弧状に弾性変形せしめると共に、その上下縁部を前記ブラケット間に横設した上下係止部材にそれぞれ弾発状に係止してシャツターカーテン収納空間を形成するようにしたシャツターケースにおいて、前記上下係止部材のうちいずれか一方の係止部材は前後方向移動可能に構成したことを特徴とするシャツターケース。
【請求項２】
請求項１において、前記下係止部材を左右ブラケット間に横設した取付け部材に前後方向移動可能に設けると共に、ケース板の下縁部を前方に屈曲して下側被係止部を形成する一方、前記係止部材の先端側には後方を向く突片が形成してあり、前記下側被係止部は前記突片と取付け部材とで挟持状に係止するように構成したことを特徴とするシャツターケース。
【発明の詳細な説明】
【技術分野】
【０００１】
本発明は、シヤッターカーテンを収納するシヤッターケースに関するものである。
【背景技術】
【０００２】
建物開口部を開閉するシャツターカーテンを収納するシャツターケースの構造は従来種々のものが知られているが、これらのうちシャツターケース左右のブラケット間にケース板を張設するにあたって、該ケース板の上側縁をケース本体側に設けた上側係止部材に係止すると共に、ケース板中央部が左右方向に亘って前方に膨出する断面略円弧状に弾性変形させて下側縁をケース本体側に設けた下側係止部材に弾発状に係止することでケース板を取り付けるようにしたものがある。
【特許文献１】特開平１１−２９９９０９号公報
【発明の開示】
【発明が解決しようとする課題】
【０００３】
上記のように構成したシャツターケースは、螺子等の固定手段を用いることなくケース板の取付けや取外しを行うことができるのでケース内の点検作業が容易となる利点を有する一方、特にケース板の取外し時においては弾発力に抗してケース板を更に湾曲させた上で係止状態を解除させる必要があり、この際にケース板の弾性復帰に伴う急激な反発力により取外し作業上危険が生じたり、反動でケース板が落下してしまう可能性があった。
とりわけ、複数枚のケース板を左右方向に連設した場合においては、その連接部で隣接するケース板端部同士が積層状に重なった状態であるのでケース板の弾発力が増幅され、取り外し時により労力と危険性が増すこととなる。
また、ケース板の下側縁は、下側係止部材とケース本体側との間隙に嵌入することで弾発係止するようになっているため開閉用駆動モータの振動等、該係止部材に不測の外力が作用した場合には前記間隙からケース板の下側縁が抜け出してしまう可能性を有するものであった。
【課題を解決するための手段】
【０００４】
本発明は、叙述の課題を解決することを目的として創作されたものであって、請求項1の発明は、左右ブラケット間に設けられるケース板を、中央部が左右方向に亘って前方に膨出するよう断面略円弧状に弾性変形せしめると共に、その上下縁部を前記ブラケット間に横設した上下係止部材にそれぞれ弾発状に係止してシャツターカーテン収納空間を形成するようにしたシャツターケースにおいて、前記上下係止部材のうちいずれか一方の係止部材は前後方向移動可能に構成したことを特徴とするものである。
【０００５】
また、請求項２の発明は、請求項１において、前記下側係止部材を左右ブラケット間に横設した取付け部材に前後方向移動可能に設けると共に、ケース板の下縁部を前方に屈曲して下側被係止部を形成する一方、前記係止部材の先端側には後方を向く突片が形成してあり、前記下側被係止部は前記突片と取付け部材とで挟持状に係止するように構成したことを特徴とするものである。
【発明の効果】
【０００６】
請求項１の発明により、ケース板の上下縁部を係止部材に弾発状に係止させる際にいずれか一方の係止部材は前後方向移動可能に構成されているのでケース板の曲率が小さい状態で上下縁部を係止部材に係止することができケース板の取り付けと取り外し作業に要する労力を軽減することができ、またケース板の取り外し時にはその弾性復帰に伴う急激な反発力により作業上の危険が生じることがない。
【０００７】
また、請求項２の発明により、ケース板の下側縁が強固に係止されるので、ケース板が不用意に係止部材から抜け出してケース板が落下する危険性を防止することができる。
【発明を実施するための最良の形態】
【０００８】
つぎに本発明の実施の形態を図面に基づいて説明する。
図１は、シャツター装置の概略正面図であって、該シャツター装置は建物開口部の左右に立設したガイドレール１，１間に複数のスラット２を上下に連設してなるシャツターカーテン３が両端を案内されて上下動することで建物開口部を開閉するように構成されている。シャツターカーテン３の上端部は上方に架設された巻取りドラム４に連結されており、巻き取りドラム４の回転に伴って、シャツターカーテン３が巻き取りドラム４に巻装されて開口部を開閉し、あるいは巻き取りドラム４に巻装されたシャツターカーテン３が繰り出されることで開口部を閉鎖するようになっている。
【０００９】
５は、シャツターケースであって、該シャツターケース５は巻き取りドラム４の両端に突成したシャフト４ａの両端部を支承する左右のブラケット６，６と、該ブラケット６，６の躯体側上隅部に横架した上側係止部材８と、前記ブラケット６の前後方向（躯体側ケース取り付け面Ａに接離する方向）略中央下端部に横架した下側係止部材９と、これら上下係止部材８，９にその上下縁部を係止され巻き取りドラム４を覆うように張設されるケース板７とで形成されている。
【００１０】
上側係止部材８は、図３に示すように上下に離間対設した上側片８ａと下側片８ｂおよびこれらの一端側を連結する垂直片８ｃとで断面略コ字形に形成され、さらに上側片８ａの他端側から上側係止片８ｄを垂下状に突成して該上側係止片８ｄの先端と下側片８ｂとの間に後述するケース板７の上側被係止部７ｂが嵌入される差込溝８ｅが形成された長尺材で構成されている。
【００１１】
一方、下側係止部材９は、長尺板材を折曲して形成されるものであって、図４に示すように起立片９ｂの端部側を互いに反対側に向けて折曲形成してなる下側水平片９ａと上側水平片９ｃとで断面略Ｚ形に形成され、さらに上側水平片９ｃの先端側を起立した立上り片９ｄの先端を上側水平片９ｃに対向して平行状に折り返してなる突片９ｅが形成されている。また、起立片９ｂには長手方向に所定間隔を存して複数個の孔９ｆが、また下側水平片９ａには長手方向に所定間隔を存して複数個の長孔９ｇがそれぞれ穿設されている。
【００１２】
１０は下側係止部材９が取り付けられる取り付け部材であって、該取り付け部材１０は長尺状の角パイプ材で形成され、左右ブラケット６，６の前後方向（躯体側ケース取り付け面Ａに接離する方向）略中央下端に両端部を固定することにより横架されている。また、図５において、取り付け部材１０の下面には下側係止部材９の長孔９ｇと同一ピッチで複数の孔１０ａが、また左側面には下側係止部材９の孔９ｆと同一ピッチで複数の孔１０ｂがそれぞれ穿設されると共に取り付け部材１０の内面側には孔１０ａ，１０ｂに合致させてポップナット１１が固定されている。
【００１３】
図５は、取り付け部材１０への下側係止部材９の取り付け状態を示す図であって、取り付け部材１０の下面と左側面に下側係止部材９の下側水平片９ａおよび起立片９ｂがそれぞれボルト１２，１３をポップナット１１に螺入することで取り付けられている。  
【００１４】
ケース板７は、湾曲弾性変形可能な長尺状薄板鋼板で形成されており、長手方向上下縁部には上側被係止部７ｂと下側被係止部７ａとが同方向に向けて折曲形成されている。
【００１５】
叙述の如く構成されるシャツターケース５は、建物内部において天井ボード１４の上方に設けた躯体側ケース取り付け面Ａに対し、左右ブラケット６を固定部材１５で固定することにより取り付けられている。
【００１６】
つぎに、ケース板７をシャツターケース５に取り付ける場合の手順を説明する。
図５（Ａ）に示すようにボルト１２，１３を緩めて下側係止部材９を取り付け部材１０に対して前方（図の左方向で躯体側ケース取り付け面Ａから離れる方向）に移動させた状態でケース板７の上側被係止部７ｂを上側係止部材８に係止し、ついでケース板７の中央部が左右方向に亘って前方に膨出するよう断面略円弧状に弾性変形せしめると共に下側被係止部７ａを下側係止部材９の突片９ｅに係止すると共に、ボルト１３をポップナット１１に螺入することにより下側係止部材９の起立片９ｂを取り付け部材１０に当接させた後にボルト１２を締め込むことでケース板７を固定して張設する。
なお、ケース板７を取り外す場合は、上記と逆の手順をすればよいので詳しい説明は省略する。
【００１７】
また、下側係止部材を図６に示す第二の実施形態のようにすることができ、この場合においてはケース板７を確りと係止させることができて脱落を防止することができる。
図６に示す下側係止部材９は、起立片９ｂが取り付け部材１０に当接した状態では突片９ｅの先端と取り付け部材１０との間に僅かな間隙が生じるよう突片９ｅの長さが設定されており、これにより（Ｂ）に示すケース板７の取り付け完了状態では下側被係止部材７ａが突片９ｅの先端と取り付け部材１０とで挟持状に係止されるようになっている。  
【００１８】
尚、上記第一，第二の実施の形態では下側係止部材９を移動可能に構成したものを示したが、下側係止部材９を固定して上側係止部材８を移動自在に構成するようにしてもよいことは勿論である。
【００１９】
叙述のように本実施形態では、上下係止部材のうちいずれか一方の係止部材をボルトの進退で前後方向移動可能に構成されているので、ケース板を取り付け時に断面略円弧状に弾性変形させる際、その曲率が小さい状態で上下縁部を係止部材に係止すればよくその後ボルトの螺入による軽い操作力で所定の円弧形状にして取り付けることができ、また取り外し時においてはボルトの弛緩で曲率を小さい状態にした上でケース板の縁部の係止を解除すればよいのでケース板の弾性復帰に伴う急激な反発力により取外し作業上危険が生じたり反動でケース板が落下してしまうことがなく、複数枚のケース板を左右に連設した場合であっても取り外し作業の労力軽減と安全性を確保することができる。
【産業上の利用可能性】
【００２０】
本発明は、シャツターカーテンを収納するシャツターケースに利用することができる。
【図面の簡単な説明】
【００２１】
【図１】シャツター装置の概略正面図である。
【図２】図１のＸ−Ｘ拡大断面図である。
【図３】上側係止部材を示す斜視図である。
【図４】下側係止部材を示す斜視図である。
【図５】（Ａ）第一の実施形態のケース板と下側係止部材との取り合いを示す状態図である。  （Ｂ）同上の取り付け完了状態図である。
【図６】（Ａ）第二の実施形態のケース板と下側係止部材との取り合いを示す状態図である。  （Ｂ）同上の取り付け完了状態図である。
【符号の説明】
【００２２】
１    ガイドレール
２    スラット
３    シャツターカーテン
４    巻き取りドラム
５    シャツターケース
７    ケース板
８    上側係止部材
９    下側係止部材
１０    取り付け部材    
【図１】
2008297814.tif 000003
【図２】
2008297814.tif 000004
【図３】
2008297814.tif 000005
【図４】
2008297814.tif 000006
【図５】
2008297814.tif 000007
【図６】
2008297814.tif 000008